(57)【要約】【課題】異なる偏波で伝送される複数の放送チャネルを受信する新規のシステムを提供すること。【解決手段】異なる偏波で伝送される複数の放送チャネルを受信するシステムは、  第１の復調されたチャネル信号を生成するよう、第１の偏波を有する第１のチャネルを復調する第１の復調器と、  第２の復調されたチャネル信号を生成するよう、第１の偏波とは逆の第２の偏波を有する第２のチャネルを復調する第２の復調器と、  第１及び第２の復調器に結合され、受信された信号を生成するよう、該第２のチャネルから得られる干渉を該第１の復調されたチャネル信号から打ち消す適応干渉打消し回路とを有する。【選択図】図４
2010200339.tif 000002
【特許請求の範囲】
【請求項１】
異なる偏波で伝送される複数の放送チャネルを受信するシステムであって、  第１の復調されたチャネル信号を生成するよう、第１の偏波を有する第１のチャネルを復調する第１の復調器と、  第２の復調されたチャネル信号を生成するよう、第１の偏波とは逆の第２の偏波を有する第２のチャネルを復調する第２の復調器と、  第１及び第２の復調器に結合され、受信された信号を生成するよう、該第２のチャネルから得られる干渉を該第１の復調されたチャネル信号から打ち消す適応干渉打消し回路とを含むシステム。
【発明の詳細な説明】
【技術分野】
【０００１】
衛星通信における逆偏波干渉打ち消し  発明の技術分野  本発明は、偏波されたチャネル中の、逆偏波のチャネルが隣接するか又は重なり合う周波数によって生ずる干渉を打ち消すシステムに関する。
【背景技術】
【０００２】
衛星伝送システムでは、衛星上の複数のトランスポンダは、周波数の帯域の中に配置される対応する複数の夫々の搬送周波数を伝送するよう同調される。トランスポンダ間の干渉を最小化するため、各トランスポンダは偏波されたアンテナ上で伝送する。例えば直接衛星システム（ＤＳＳ）といった１つの衛星システムでは、トランスポンダは他の全てのトランスポンダとは相互に異なる周波数で搬送波を伝送する。各トランスポンダは、円偏波されたアンテナを通じて伝送する。隣接する周波数を有する搬送波を伝送するトランスポンダは逆に偏波されている。例えば、１つのトランスポンダが１つの搬送周波数で伝送し、右円偏波（ＲＨＣＰ）されたアンテナを通じて伝送する場合、次の隣接する搬送周波数で伝送するトランスポンダは左円偏波（ＬＨＣＰ）されている。他の衛星システムでは、２つのトランスポンダは単一の周波数で伝送する。１つのトランスポンダはＲＨＣＰアンテナ上で伝送し、第２のトランスポンダはＬＨＣＰアンテナ上で伝送する。
【０００３】
理想的な実施では、専門家向け受信アンテナを用いると、３０ｄＢの逆偏波除去率が達成されうる。消費者向け受信アンテナを用いると、逆偏波除去は２０ｄＢへ低下する。更に、逆に偏波された信号を別個に受信するよう適合されたアンテナは、概して周波数の帯域の中間の単一の周波数での性能のために最適化され、従って周波数の範囲に亘っては最適以下で動作する。更に、大気条件は信号の偏波をシフトさせ、システムの性能を更に低下させうる。
【０００４】
現時の衛星システムは、上述のように、伝送システムの条件下で許容可能に機能することが可能であるよう、変調及び符号化技術を使用し、スループットを調整する。例えばＤＳＳシステムは、既知の方法で、同相及び直角位相の搬送成分を所定のシンボルレートで符号化されたデータで変調するために、四相位相変移変調（ＱＰＳＫ）を使用する。しかしながら、通信システムにおいてスループットを増加させることは常に望まれている。増加されたスループットは、衛星を通じて伝送されうるチャネルの数を増加させるため、及び／又はより高い鮮明度の画像といった追加的な特性を与えるために既存のチャネル上に余分の情報を伝送するために使用されうる。例えばＤＳＳシステムといった消費者用伝送システムにおいて、新しい特性を組み込んだ新しい受信器のためのスループットを増加する一方で、既存の消費者用受信器との逆行互換性を維持することが更に望ましい。
【０００５】
スループットを増加させるために、逆に偏波された信号の隣接又は重なりあう周波数の除去を２０ｄＢのレベルを越えて増加させることが必要である。しかしながら、これは、トランスポンダのパワー出力を増加させること、又は衛星の中の送信アンテナの性能を改善すること、又は消費者に対してアンテナの費用を許容可能でないほど増加させつつ受信アンテナの性能を改善すること、又は衛星上のトランスポンダのパワー出力を増加させることでは可能ではない。
【先行技術文献】
【特許文献】
【０００６】
【特許文献１】特開平５−１６７５５７号公報
【特許文献２】特表平６−５０４１７１号公報
【特許文献３】特開昭６２−１０５５４３号公報
【発明の概要】
【発明が解決しようとする課題】
【０００７】
異なる偏波で伝送される複数の放送チャネルを受信する新規のシステムを提供すること。
【課題を解決するための手段】
【０００８】
開示される発明の一形態によるシステムは、
異なる偏波で伝送される複数の放送チャネルを受信するシステムであって、  第１の復調されたチャネル信号を生成するよう、第１の偏波を有する第１のチャネルを復調する第１の復調器と、  第２の復調されたチャネル信号を生成するよう、第１の偏波とは逆の第２の偏波を有する第２のチャネルを復調する第２の復調器と、  第１及び第２の復調器に結合され、受信された信号を生成するよう、該第２のチャネルから得られる干渉を該第１の復調されたチャネル信号から打ち消す適応干渉打消し回路とを含むシステムである。
【図面の簡単な説明】
【０００９】
【図１】本発明による伝送システムを示すブロック図。
【図２】２つの異なる伝送システムのスペクトルレイアウトを示すスペクトル図。
【図３】２つの異なる伝送システムのスペクトルレイアウトを示すスペクトル図。
【図４】図１に示される受信システムの一部をより詳細に示すブロック図。
【図５】図１に示される受信システムの一部をより詳細に示すブロック図。
【図６】図１に示される伝送システムで使用されうる適応組合せ装置を示すブロック図。
【図７】図６に示される適応組合せ装置において使用されうる適応ＦＩＲフィルタを示すブロック図。
【発明を実施するための形態】
【００１０】
本発明の原理によれば、異なる偏波で伝送される複数の放送チャネルを受信するシステムは、第１の復調されたチャネル信号を生成するよう、第１の偏波を有する第１のチャネルを復調する第１の復調器と、第２の復調されたチャネル信号を生成するよう、第１の偏波とは逆の第２の偏波を有する第２のチャネルを復調する第２の復調器とを含む。第１及び第２の復調器に結合された適応干渉打消し回路は、受信された信号を生成するよう、第２のチャネルから得られる干渉を第１の復調されたチャネル信号から打ち消す。
【００１１】
逆に偏波された放送チャネルに隣接するか又は重なり合う周波数からの干渉を打ち消すために電子的な適応干渉打消し技術を使用することにより、これらのチャネルの除去は所望のチャネルのスループットが増加されうるよう十分に増加されうる。例えば、伝送された搬送波の階層的直角振幅変調（ＱＡＭ）は、逆方向の互換性を維持しつつチャネルのビットレートを増加させるために使用されうる。特に、ＱＰＳＫ変調の代わりに、各伝送されたシンボル中で搬送されるデータビットの数を２倍又は３倍するために、階層的な１６ＱＡＭ又は６４ＱＡＭが使用されうる。現時のＱＰＳＫ受信器は、かかるチャネル上に第１のレベルのＱＰＳＫ信号を受信しうる一方で、階層的ＱＡＭ受信器を伴うより新しい受信器は、周波数が隣接するチャネルからの逆の偏波の干渉が本発明によるシステムを用いて十分に減少されるとすると、完全なＱＡＭ信号を受信しうる。
【実施例１】
【００１２】
図１は、本発明による伝送システムを示すブロック図である。図１中、入力端子５は、伝送されるべきチャネル信号の１組の源（図示せず）に結合される。例えば、チャネル信号源は夫々、ビデオ及びオーディオ成分を含むテレビ信号を生成しうる。入力端子５は、送信器１０の入力端子に結合される。送信器１０は既知の方法で、各チャネル信号を圧縮し符号化し、それらをＲＦ搬送波信号上で変調し、次に変調された搬送波を送信器アンテナ１２を通じて衛星２０へ伝送するよう動作する。衛星２０はチャネル信号を受信し、それらを別個のトランスポンダ上で再送信する。トランスポンダは異なる周波数に同調され、衛星２０の中の夫々の偏波されたアンテナに結合される。
【００１３】
図２及び３は、２つの異なる伝送システムのスペクトルレイアウトを図示するスペクトル図である。図２及び３中、搬送周波数は周波数軸に沿って矢印によって示され、チャネル信号情報を搬送する側波帯は搬送周波数の付近の台形によって図示されている。上方の周波数軸はＲＨＣＰアンテナによって伝送されるチャネル信号を示し、下方の周波数軸はＬＨＣＰアンテナによって伝送されるチャネル信号を示す。
【００１４】
図２はＤＳＳ周波数スペクトルを示す図であり、第１のトランスポンダは、第１のチャネルを伝送し、第１の周波数Ｘｐ１に同調され、ＲＨＣＰアンテナに結合される。第２のトランスポンダは、第２のチャネルを伝送し、第１の周波数Ｘｐ１に隣接する第２の周波数Ｘｐ２に同調され、ＬＨＣＰアンテナに結合される。第３のトランスポンダは、第３のチャネルを伝送し、第２の周波数Ｘｐ２に隣接する第３の周波数Ｘｐ３に同調され、ＲＨＣＰアンテナに結合される。第４のトランスポンダ以降についても同様である。図示されるように、周波数が隣接する搬送波の側波帯には重なりかありうるが、搬送波は周波数に関しては重なりあわない。周波数に関して隣接する搬送波は、逆に偏波されたアンテナによって伝送される。
【００１５】
図３中、第１のトランスポンダは第１のチャネルを伝送し周波数Ｘｐ１に同調され、第２のトランスポンダは第２のチャネルを伝送しＸｐ１と同じ周波数Ｘｐ２に同調される。第１のトランスポンダはＲＨＣＰアンテナに結合され、第２のトランスポンダはＬＨＣＰアンテナに結合される。第３のトランスポンダは第３のチャネルを伝送し第３の周波数Ｘｐ３に同調され、第４のトランスポンダは第４のチャネルを伝送しＸｐ３と同じ周波数Ｘｐ４に同調される。このシステムは、同じ位置に配置されるが逆に偏波されたアンテナ上で伝送される搬送波を含む。
【００１６】
衛星２０は、図２又は３に図示されるスペクトルを、受信アンテナ３２を通じて受信システム１５へ伝送する。受信アンテナ３２は、ＲＨＣＰ及びＬＨＣＰアンテナ部分を両方含み、受信器３０に結合される。受信器３０は、第１の復調器４２に結合された第１の出力端子と、第２の復調器４４に結合された第２の出力端子とを有する。第１の復調器４２の出力端子は干渉打消し回路５０の第１の入力端子に結合され、第２の復調器４４の出力端子は干渉打消し回路５０の第２の入力端子に結合される。
【００１７】
干渉打消し回路５０の出力端子はチャネル復調器６０の入力端子に結合される。チャネル復調器６０の出力端子は受信されたチャネル信号を生成し、利用回路（図示せず）に結合される。利用回路は、例えば、受信されたチャネル信号からテレビ信号を抽出し、テレビ信号のビデオ成分を表わす画像を表示装置上に生成し、テレビ信号のオーディオ成分を表わすサウンドをスピーカ上に生成するための回路を含みうる。
【００１８】
動作上、送信器１０は、複数の放送チャネルを、衛星２０のリンクを通じて多数の受信器１５のうちの１つへ伝送する。現時のＤＳＳ伝送システムは、消費者向け受信アンテナ３２で満足に動作するＱＰＳＫ変調技術を使用する。しかしながら、より多くの情報を搬送するより高次のＱＡＭ変調された信号
を満足に受信するためには、上述の隣接する周波数を有するチャネルからの干渉が抑制されねばならない。受信器３０は、ユーザの制御下で、所望のチャネルを搬送する搬送波を選択する。選択された搬送波は抽出され、更に処理される。例えば、ＤＳＳシステムでは、その搬送波は、その搬送波によって搬送されるチャネル上で伝送されるテレビ番組を抽出し、テレビ受像機上に番組を表示するよう、処理される。
【００１９】
本発明によれば、隣接するチャネルからの干渉は受信器１５において電子的に抑制される。まず、図３に図示される逆に偏波されたアンテナ上で伝送される同じ位置に配置された搬送波を有するスペクトルを参照するに、第１の復調器４２は選択されたチャネル、例えばＸｐ３、を伝搬する周波数及びアンテナ偏波に調整され、一方、第２の復調器４４は同じ周波数に同調されるが、逆に偏波されたアンテナ、例えばＸｐ４、から信号を受信する。
【００２０】
第１の復調器４２からの選択された変調されたチャネルＸｐ３及び第２の復調器４４からの逆に偏波された変調されたチャネルＸｐ４は、干渉打消し回路５０の中で処理される。干渉打消し回路５０は逆に偏波された変調されたチャネルＸｐ４から選択された変調されたチャネルＸＰ３の中の干渉成分を得て、選択された変調されたチャネルの中のその干渉成分を以下詳述するように抑制する。
【００２１】
ここで、図２に示される隣接する搬送波が周波数に関して重なり合っていないＤＳＳスペクトルを参照するに、２つの周波数が隣接する信号から選択された変調されたチャネルの中の干渉成分を得ることが必要である。即ち、第１の復調器４２は、選択されたチャネル、例えばＸｐ３、を伝搬する周波数及び対応するアンテナ偏波に調整される。第２の復調器４４は２つの隣接する周波数のうちの１つ、及び第１の隣接するチャネル、例えばＸｐ２を伝搬する対応するアンテナ偏波に同調される。この配置では、しかしながら、図１中に波線によって示される第３の復調器４６は、第２の復調器４４と同様に、受信器３０と干渉打消し回路５０との間に結合される。第３の復調器４６は、２つの隣接する周波数の他方及び第２の隣接するチャネル、例えばＸｐ４を伝搬する対応するアンテナ偏波へ調整される。
【００２２】
第１の復調器４２からの選択された復調されたチャネルと、第２の復調器４４及び第３の復調器４６からの２つの周波数が隣接する逆に偏波された復調されたチャネルは、干渉打消し回路５０の中で処理される。干渉打消し回路５０は、２つの逆に偏波された復調されたチャネルから選択された復調されたチャネルの中の干渉成分を得て、選択された復調されたチャネルからの干渉成分を以下詳述されるように抑制する。
【００２３】
当業者によれば、より高次のＱＡＭ変調技術が使用されうるよう逆に偏波されたチャネルの干渉を十分に抑制するためには、干渉打消し回路５０の中で追加的な隣接するチャネルを処理することが必要でありうることが理解されよう。上述の図２を参照した例に続き、受信器３０と干渉打消し回路５０との間に結合される追加的な復調器は、周波数に関してその次に隣接するチャネル、例えばＸｐ１及びＸｐ５に同調されうる。干渉打消し回路５０は、干渉成分を得るために、選択されたチャネルＸｐ３と、全ての隣接するチャネルＸｐ１、Ｘｐ２、Ｘｐ４及びＸｐ５とを処理し、選択されたチャネルＸｐ３の中の干渉成分を抑制する。図３の例では、干渉打消し回路５０は選択されたチャネルＸｐ３を処理し、干渉成分を得るために同じ位置に配置されるが逆に偏波されたチャネルＸｐ４を処理し、選択されたチャネルＸｐ３の中の干渉成分を抑制する。
【００２４】
いずれの配置でも、干渉打消し回路５０によって生成される信号は逆偏波の干渉が打ち消された選択されたチャネルである。この信号は次にチャネル信号を生成するためにチャネル復調器６０によって変調される。チャネル信号は次に、上述のように利用回路（図示せず）によって処理される。
【００２５】
当業者によれば、チャネル復調器６０は復調器４２の中に組み込まれてもよく、図１に示されるように、別個の要素の中になくともよいことが理解されよう。
或いは、復調器４２は、別個の要素としてではなく、チャネル復調器６０の中に組み込まれても良い。本例では、受信器３０の出力は、干渉打消し回路５０に直接に結合される。
【００２６】
図４及び５は、図１に示される受信システムの一部をより詳細に示す図である。図４は、本発明によるＤＳＳシステム（図２）の更なる細部を図示する。図４中、図１と同じ要素は、同じ参照番号を付され、以下詳述しない。図４中、受信アンテナ３２はＲＨＣＰ部分及びＬＨＣＰ部分を含み、（図１の）衛星２０によって伝送された複数のチャネルを受信するよう配置される。受信アンテナ３２は、全て受信器３０（図１）の中に含まれる第１のチューナ３４、第２のチューナ３５、及び第３のチューナ３６の夫々の入力端子に結合される。第２のチューナ３５の出力端子は第１の復調器４４の入力端子に結合され、第３のチューナ３６の出力端子は第２の復調器４６の入力端子に結合される。
【００２７】
第１のチューナ３４の出力端子は、遅延回路５７０の入力端子に結合される。遅延回路５７０の出力端子は、適応組合せ装置５５２の第１の入力端子に結合される。第１の復調器４４の出力端子は、第１の復調器５４２の入力端子に結合される。第１の復号化器５４２の出力端子は、第１の符号化器５４６の入力端子に結合される。第１の符号化器５４６の出力端子は、第１のミクサ５４８の第１の入力端子に結合される。第１の数値制御発振器（ＮＣＯ）５５０の出力端子は、第１のミクサの第２の入力端子に結合される。第１のミクサの出力端子は、適応組合せ装置５５２の第２の入力端子に結合される。
【００２８】
第２の復調器４６の出力端子は、第２の復号化器５６２の入力端子に結合される。第２の復号化器６５２の出力端子は、第２の符号化器５６６の入力端子に結合される。第２の符号化器５６６の出力端子は、第２のミクサ５６８の第１の入力端子に結合される。第２のＮＣＯ５７０の出力端子は、第２のミクサ５６８の第２の入力端子に結合される。第２のミクサ５６８の出力端子は、適応組合せ装置５５２の第３の入力端子に結合される。適応組合せ装置５５２の出力端子は、階層的ＱＡＭ復調器／復号化器６０の入力端子に結合される。階層的ＱＡＭ復調器／復号化器６０の出力端子は、復号化されたチャネルデータを発生し、上述のように利用回路（図示せず）に結合される。
【００２９】
既知の階層的ＱＡＭ符号化では、第１の符号化レベルは、受信された信号のある象限が伝送されたシンボルの最初の２ビット（即ち、４つの可能な象限のうちの１つ）を与えるようなＱＰＳＫ符号によって表わされる。これは、標準ＤＳＳ受信器で行われる復号化に対応する。受信された最初の２ビットを表わす理想的なＱＰＳＫ信号は、再び形成され、６ｄＢ下方の信号強度を有する第２の符号化レベル信号を表わす異なる信号を発生するよう、受信された信号から差し引かれる。同じ処理は第２のレベル符号化信号について繰り返され、即ち、シンボルの中の更なる２つのビットを決定するためにＱＰＳＫ符号化によっても表わされる第２のレベル符号化信号のある象限を検出し、信号強度で１２ｄＢ下方の第３のレベル符号化信号を表わす信号を発生するようこれらの２つのビットを表わす再形成された理想的な信号を差し引き、これは、階層的ＱＡＭ信号の全てのレベルが復号化されるまで繰り返される。
【００３０】
動作上、チューナ３４は、選択されたチャネル信号を生成し、一方、チューナ３５及び３６は周波数が隣接する逆に偏波されたチャネル信号を与える。復号化器５４２及び５６２は既知のビタビ復号
化器であってもよく、既知のように第１のレベルのＱＡＭ復号化機能を与える。
（上述のように）消費者向けアンテナによって与えられる２０ｄＢの信号帯雑音比は、現在のＱＰＳＫ信号を正確に復号化するのに十分であるため、復号化器５４２及び５６２によって与えられる第１のレベルの復号化はかなり正確である。
実際、復号化器５４２及び５６６のために、ビタビ復号化器の代わりに、ハードデシジョン方式を用いることが可能である。符号化器５４６及び５６６は夫々、復号化器５４２及び５６２からの復号化された信号を表わす理想的なＱＰＳＫ信号を再生する。ミクサ５４８及びＮＣＯ５５０並びにミクサ５６８及びＮＣＯ５７０は、隣接するチャネルの信号をＸｐ３で選択された信号の周波数に再変調する。
【００３１】
ミクサ５４８及び５６８からの周波数隣接チャネルからの再変調された理想的なＱＰＳＫ信号及びチューナ３４からの遅延された変調された所望のチャネルは、適応組合せ装置５５２において処理される。遅延回路５７０は、復号化器５４２及び５６２、符号化器５４６及び５６６、並びに、ミクサ５４８及び５６８を夫々通ることによって生じた処理遅延を補償し、時間的に整列された３つの信号
を適応組合せ装置へ供給するために設けられる。適応組合せ装置５５２は、ミクサ５４８及び５６８の夫々からの信号を解析し、以下詳述するように、遅延５７０からの所望のチャネルの中にある各チャネルからの干渉成分を推定する。これらの干渉成分は、適応組合せ装置５５２の出力端子において、逆に偏波された干渉が抑制されている所望のチャネル信号を発生するよう所望のチャネル信号から差し引かれる。逆に偏波された干渉を抑制することにより、所望のチャネル信号
の信号対雑音比は十分に上昇され、それにより階層的ＱＡＭ復調器／復号化器６０の中で階層的ＱＡＭ変調がうまく復調され復号化されうる。
【００３２】
図５は、本発明による同じ位置に配置された搬送波システム（図３）をより詳細に示す図である。図５中、受信アンテナ３２は、第１のチューナ３３及び第２のチューナ３４の夫々の入力端子に結合される。第１のチューナ３３の出力端子は、第１の復調器４２の入力端子に結合される。第１の復調器４２の出力端子は、第１の復号化器５０２及び第１の遅延回路５０４の夫々の入力端子に結合される。第１の復号化器５０２の出力端子は、第１の符号化器５０６の入力端子に結合される。第１の符号化器５０６の第１の出力端子は、第１の適応組合せ装置５０８の第１の入力端子に結合される。第１の遅延回路５０４の出力端子は、第１の適応組合せ装置５０８の第２の入力端子に結合される。
【００３３】
第２のチューナ３４の出力端子は、第２の復調器４４の入力端子に結合される。第２の復調器４４の出力端子は、第２の復号化器５２２及び第２の遅延回路５２４の夫々の入力端子に結合される。第２の復号化器５２２の出力端子は、第２の符号化器５２６の入力端子に結合される。第２の符号化器５２６の第１の出力端子は、第２の適応組合せ装置５１０の第１の入力端子に結合される。第２の遅延回路５２４の出力端子は、適応組合せ装置５１０の第２の入力端子に結合される。第１の符号化器５０６の第２の出力端子は、第２の適応組合せ装置５１０の第３の入力端子に結合され、第２の符号化器５２６の第２の出力端子は、第１の適応組合せ装置５０８の第３の入力端子に結合される。
【００３４】
第１の適応組合せ装置５０８の出力端子は、第３の復号化器５１２及び第３の遅延回路５１４の夫々の入力端子に結合される。第３の復号化器５１２の出力端子は、第３の符号化器５１６の入力端子に結合される。第３の符号化器５１６の出力端子は、第３の適応組合せ装置５１８の第１の入力端子に結合される。第３の遅延回路５１４の出力端子は、マルチプレクサ（ＭＵＸ）５２０の第１の入力端子に結合される。マルチプレクサ５２０の出力端子は、第３の適応組合せ装置５１８の第２の入力端子に結合される。
【００３５】
第２の適応組合せ装置の出力端子は、第４の復号化器５３２及び第４の遅延回路５３４の夫々の入力端子に結合される。第４の復号化器の出力端子は、第４の符号化器５３６の入力端子に結合される。第４の符号化器５３６の出力端子は、第３の適応組合せ装置５１８の第３の入力端子に結合される。第４の遅延回路５３４の出力端子は、マルチプレクサ５２０の第２の入力端子に結合される。第３の適応組合せ装置５１８の出力端子は、階層的ＱＡＭ復調器／復号化器６０の入力端子に結合される。階層的ＱＡＭ復調器／復号化器６０の出力端子は、復号化されたチャネルデータを生成し、上述のように利用回路（図示せず）に結合される。
【００３６】
動作上、図５のシステムは所望のチャネル信号の２レベル階層的ＱＡＭ復号化を行う。チューナ３３及び３４は同じ周波数に同調されるが、夫々アンテナ３２のＲＨＣＰ及びＬＨＣＰ部分に結合される。チューナ３３から受信された信号は復調器４２によって復調され、チューナ３４から受信された信号は復調器４４によって復調される。
【００３７】
復調器４２からの信号は復号化器５０２によってＱＰＳＫ復号化される。図４に示されるように、信号の信号対雑音比が十分であるため、ビタビ復号化器又はハードデシジョン復号化器が使用されうる。復号化器５０２は、チューナ３３によって受信された階層的ＱＡＭ信号の外側レベル復号化の結果を表わす２ビット信号を生成する。この信号はその階層的ＱＡＭ信号の他のレベルの復号化の結果と組み合わされ、受信されたシンボルを表わすその組み合わせは利用回路（図示せず）へ供給される。符号化器５０６は、受信された信号から復号化された２ビットを表わす理想的なＱＰＳＫ信号を生成する。この理想的なＱＰＳＫ信号は第１の適応組合せ装置５０８へ供給される。復調器４２から受信された信号は、復号化器５０２及び符号化器５０６の処理を補償するために適当な遅延を導入する
遅延回路５０４を通ってやはり第１の適応組合せ装置５０８へ供給される。
【００３８】
同時に、復号化器５２２は復調器４４からの他の受信された信号を復号化し、チューナ３４によって受信された階層的ＱＡＭ信号の外側レベル復号化の結果を表わす２ビット信号を生成する。この信号はチューナ３４によって受信されたその階層的ＱＡＭ信号の他のレベルの復号化の結果と組み合わされ、受信されたシンボルを表わすその組み合わせは利用回路へ供給される。これらの２つのビットを表わす理想的なＱＰＳＫ信号は、符号化器５２６によって生成される。この信号はまた第１の適応組合せ装置５０８へ供給される。
【００３９】
外側のレベルのＱＡＭ復号化を完了するために、第１の適応組合せ装置５０８は、遅延回路５０４からの受信された信号から復号化器５０６からの理想的なＱＰＳＫ信号を差し引き、既知の方法で、第２のレベルの階層的ＱＡＭ符号化を含む信号を生成する。第１の適応組合せ装置５０８はまた、符号化器５２６からの同じ位置に配置される逆に偏波されたチャネルから理想的なＱＰＳＫ信号を解析し、その信号から遅延回路５０４からの受信された信号の中に存在する干渉成分を推定する。第１の適応組合せ装置５０８は次に、他の受信された信号からの逆の偏波干渉が抑制されており第２のレベルの階層的ＱＡＭ信号を含む信号を生成するよう、遅延回路５０４から受信された信号から干渉成分を差し引く。第２の適応組合せ装置５１０は、同様に、他の受信された信号からの逆の偏波干渉が抑制されており第２のレベルのＱＡＭ信号を含む信号を生成する。
【００４０】
マルチプレクサ５２０は、（遅延回路５１４を通じて）第１の適応組合せ装置５０８から又は（遅延回路５３４を通じて）第２の適応組合せ装置５１０から第２のレベルの階層的ＱＡＭ干渉打消しされた信号のうちの１つを選択する。第２のレベルのＱＡＭ復号化は、第１のレベルのＱＡＭ復号化について上述されるのと同様に、第１の受信された信号に対して、第３の復号化器５２３、第３の符号
化器５２６、第４の復号化器５３２、第４の符号化器５３６、及び第３の適応組合せ装置５１８によって行われる。即ち、選択された第２のレベルの階層的ＱＡＭ符号化された信号は、受信されたシンボルの階層的ＱＡＭ信号の第２のレベルの復号化を表わす２つの更なるビットを生成するよう、その関連する復号化器（５１２又は５３２）によって復号化される。これらのビットは、上述のように、外側のレベルの階層的ＱＡＭ復号化から生ずる２つのビット、及び他のレベルの復号化から生ずるビットと組み合わされる。次に、関連する復号化器（５２６又は５３６）によってこれらの２つのビットを表わす理想的なＱＰＳＫ信号が生成される。関連する復号化器からの理想的な信号は、第３のレベルのＱＡＭ符号化された信号を生成するよう、選択された第２のレベルのＱＡＭ符号化された信号から差し引かれる。同時に、他の符号化器からの理想的な信号は、その信号からの逆に偏波された干渉成分を決定するよう、選択された信号の中で解析される。その干渉成分は、第３の適応組合せ装置５１８の出力端子において干渉が打ち消された第３のレベルの階層的ＱＡＭ信号を生成するよう、選択された第２のレベルの階層的ＱＡＭ信号から差し引かれる。更なるレベルの階層的ＱＡＭ復号化は、階層的ＱＡＭ復調器／復号化器６０によって、上述と同様に行われうる。
【００４１】
図５は、階層的ＱＡＭ復号化されたシステムにおける使用について説明されてきた。しかしながら、同じ干渉打消し技術は標準（即ち階層的でない）ＱＡＭ符号化されたシステムにおいて使用されうる。かかる。かかるシステムでは、ＱＡＭ復調器／復号化器６０の中で信号を復号化するために完全な信号点配置が必要とされるため、外側のレベルの信号点配置のハード復号化が必要とされる。更に、第２のレベルのＱＡＭ信号を生成するために、受信されたＱＡＭ信号から外側のレベルの階層的ＱＡＭ信号を差し引くこと、又は第３のレベルのＱＡＭ信号を形成するために、受信されたＱＡＭ信号から第２のレベルの階層的ＱＡＭ信号を差し引くこと等は可能ではない。
【００４２】
このように、符号化器５０６を第１の適応組合せ装置５０８に結合すること、又は符号化器５２６を第２の適応組合せ装置５１０に結合することは必要ではない。従って、信号線５０７及び５２７はかかるシステムから省かれる。この場合、第２の適応組合せ装置５０８及び第２の適応組合せ装置５１０の夫々の出力端子における信号は、完全なＱＡＭ信号点配置を含む。逆偏波干渉を表わす信号は、逆偏波された受信された信号を処理する復調器（４２，４４）に結合されたハード復号化器（５０２，５２２）及び復号化器（５０６，５２６）の直列接続によって生成される。この逆偏波干渉信号は、選択された信号を処理する復調器（４２，４４）に結合された適応組合せ装置（５０８，５１０）の中で選択された信号から打ち消される。
【００４３】
この配置では、適応組合せ装置５０８及び５１０は、２つの入力端子のみを含み、１つの端子は受信された信号用であり、もう１つの端子は、同じ位置に配置された逆に偏波された信号からの逆偏波干渉を表わす信号用である。同じ理由により、適応組合せ装置５１８は、３つの入力信号のうちの２つのみに応答する。
１つの入力信号は選択された信号を表わすマルチプレクサ５２０からであり、第２の入力信号は逆に偏波された信号を表わす信号を生成する符号化器（５１６又は５３６）からである。
【００４４】
例えば、１つの実施例では、復号化器５０２及び５２２は、４シンボルＱＡＭを復号化するためのハード復号化器でありえ、復号化器５１２及び５３２は、１６シンボルＱＡＭを復号化するためのハード復号化器でありうる。或いは、干渉が制限されておりＳＮＲが十分であれば、復号化器５０２及び５２２は１６シンボルＱＡＭを復号化するためのハード復号化器でありうる。この実施例では、段の数は減少されうる。
【００４５】
図４中に要素５５２として示され、図５中に要素５０８、５１０及び５１８として示される適応組合せ装置は、全て同様に構成されている。適応組合せ装置５２２の典型的な配置は、図６に示されている。図６中、（例えば、図４中の遅延回路５７０からの）選択された信号は、遅延回路１０６の入力端子に結合される。遅延回路１０６は、図４及び５中に示される遅延回路と共に、適当な遅延を有する単一の遅延回路へと統合されうる。遅延回路１０６の出力端子は、加算器１０８の第１の正の入力端子に結合される。第１の再符号化された信号は第１のＦＩＲフィルタ１０２の入力端子に結合され、第２の再符号化された信号は第２のＦＩＲフィルタ１０４の入力端子に結合される。
【００４６】
例えば、図４中、第１の再符号化された信号はミクサ５４８から得られ、一方、第２の再復調された信号はミクサ５６８から得られる。図５中、適応組合せ装置５０８を参照するに、第１の再復調された信号は選択された信号から得られ、第１の符号化器５０６によって生成され、一方、第２の再復調された信号は同じ位置に配置され逆に偏波されたチャネル信号から得られ、第２の符号化器５２６によって生成される。
【００４７】
第１の適応ＦＩＲフィルタ１０２の出力端子は、加算器１０８の第２の負の入力端子に結合され、第２の適応ＦＩＲフィルタ１０４の出力端子は、加算器１０８の第３の負の入力端子に結合される。第１の適応ＦＩＲフィルタ１０２及び第２の適応ＦＩＲフィルタ１０４からの信号は、遅延回路１０６からの遅延された選択された信号から差し引かれる。加算器１０８の出力端子は、逆偏波干渉が抑制されており第１及び第２の適応ＦＩＲフィルタの夫々の制御入力端子に結合された選択された信号を生成する。
【００４８】
動作上、各適応ＦＩＲフィルタは、その制御入力端子に供給される制御信号に応じて、その入力端子に結合される逆に偏波された信号によって表わされる干渉成分を表わす信号を発生し、これらは全て公知の方法によって行われる。制御信号は、加算器１０８によって生成される干渉が抑制されたチャネル信号から得られる。
【００４９】
図７は、図６中に示される適応組合せ装置において使用されうる適応ＦＩＲフィルタを示すブロック図である。図７中、入力端子２０５は、図６中に示されるように再変調されたチャネル信号を受信するよう結合される。入力端子２０５は、第１の乗算器２０２、第２の乗算器２０４、及び第３の乗算器２０６の夫々の第１の入力端子と、第１の遅延回路２０８の入力端子とに結合される。第１の遅延回路２０８の出力端子は、第２の遅延回路２１０の入力と、第４の乗算器２１２の第１の入力端子とに結合される。第４の乗算器２１２の出力端子は、第１の加算器２１４の第１の入力端子に結合される。第１の加算器２１４の出力端子は、第３の遅延回路２１６の入力端子に結合される。第３の遅延回路２１６の出力端子は、第３の乗算器２０６の第２の入力端子と、第１の加算器２１４の第２の入力端子とに結合される。
【００５０】
第２の遅延回路２１０の出力端子は、第４の遅延回路２１８の入力端子と、第５の乗算器２２０の第１の入力端子とに結合される。第５の乗算器２２０の出力端子は、第２の加算器２２２の第１の入力端子に結合される。第２の加算器２２２の出力端子は、第５の遅延回路２２４の入力端子に結合される。第５の遅延回路２２４の出力端子は、第２の乗算器２０４の第２の入力端子と、第２の加算器２２２の第２の入力端子とに結合される。
【００５１】
第４の遅延回路２１８の出力端子は、第６の乗算器２２６の第１の入力端子に結合される。第６の乗算器２２６の出力端子は、第３の加算器２２８の第１の入力端子に結合される。第３の加算器２２８の出力端子は、第６の遅延回路２３０入力端子に結合される。第６の遅延回路２３０の出力端子は、第１の乗算器２０２の第２の入力端子と、第３の加算器２２８の第２の入力端子とに結合される。
【００５２】
第１の乗算器２０２の出力端子は、第７の遅延回路２３２の入力端子に結合される。第７の遅延回路の出力端子は、第４の加算器２３４の第１の入力端子に結合される。第２の乗算器２０４の出力端子は、第４の加算器２３４の第２の入力端子に結合される。第４の加算器２３４の出力端子は、第８の遅延回路２３６の入力端子に結合される。第８の遅延回路２３６の出力端子は、第５の加算器２３８の第１の入力端子に結合される。第３の乗算器２０６の出力端子は、第５の加算器２３８の第２の入力端子に結合される。第５の加算器２３８の出力端子は、第９の遅延回路２４０の入力端子に結合される。第９の遅延回路２４０の出力端子は、フィルタリングされた出力信号を生成し、例えば、図６に示される適応組合せ回路５５２の加算器１０８に結合される。
【００５３】
入力端子２１５は、例えば図６に示される適応組合せ回路５５２の加算器１０８の出力からの誤り信号εを受信するよう結合される。入力端子２１５は、第７の乗算器２４２の第１の入力端子に結合される。一定の信号μの源（図示せず）
は、第７の乗算器２４２の第２の入力端子に結合される。第７の乗算器２４２の出力端子は、第４の乗算器２１２、第５の乗算器２２０、及び第６の乗算器２２６の夫々の第２の入力端子に結合される。
【００５４】
図７のＦＩＲフィルタは、最小平均二乗（ＬＭＳ）適応ＦＩＲフィルタの転置された形状の配置であり、公知の方法で動作する。直接的な形状のＬＭＳＦＩＲフィルタもまた図６に示される適応組合せ装置５５２の中で使用されうる。図７に示されるＬＭＳ  ＦＩＲフィルタは誤り信号εを最小化するよう公知の方法で動作する。更に、図示されるＬＭＳＦＩＲフィルタの代わりに、やはり公知の設計及び動作の、より洗練された反復最小二乗（ＲＬＳ）ＦＩＲフィルタが使用されうる。直接的な形状のフィルタもまた許容可能な性能を与える。
【００５５】
以下、本発明により教示される発明を例示的に列挙する。
【００５６】
１．異なる偏波で伝送される複数の放送チャネルを受信するシステムであって、  第１の復調されたチャネル信号を生成するよう、第１の偏波を有する第１のチャネルを復調する第１の復調器と、  第２の復調されたチャネル信号を生成するよう、第１の偏波とは逆の第２の偏波を有する第２のチャネルを復調する第２の復調器と、  第１及び第２の復調器に結合され、受信された信号を生成するよう、該第２のチャネルから得られる干渉を該第１の復調されたチャネル信号から打ち消す適応干渉打消し回路とを含むシステム。
【００５７】
２．複数の放送チャネルは、２つのチャネルが相互に逆に偏波された各周波数上で放送される周波数のブロック中の夫々の周波数上で伝送され、  第１及び第２のチャネルは同じ周波数で伝送される、上記第１項に記載のシステム。
【００５８】
３．各放送チャネルは順次のシンボルを含むよう符号化され、適応干渉打消し回路は、  第２のチャネル中に復号化された順次のシンボルを表わす信号を発生するよう、第２の復調器に結合された復号化器と、  第２のチャネル中に復号化された順次のシンボルを表わす理想的な信号を発生するよう、復号化器に結合された符号化器と、  第１の復調器及び符号化器に結合され、第１のチャネルの中の第２のチャネルを表わす理想的な信号からの干渉成分を推定し、第１のチャネルから干渉成分を打ち消す適応組合せ装置とを含む、上記第２項に記載のシステム。
【００５９】
４．上記適応組合せ装置は、  復号化器に結合され、制御信号に応答する適応フィルタと、  第１の復調器及び適応フィルタに結合され、制御信号を発生する加算器とを含む、上記第３項に記載のシステム。
【００６０】
５．第１の復調器に結合され、第１のチャネル中の復号化された順次の信号を表わす信号を発生する第２の符号化器を更に含む、上記第３項に記載のシステム。
【００６１】
６．複数の放送チャネルは、隣接する周波数のチャネルが相互に逆に偏波された周波数のブロック中の夫々の周波数上で伝送され、  第１及び第２のチャネルは隣接する周波数で伝送される、上記第１項に記載のシステム。
【００６２】
７．第３の復調されたチャネル信号を生成するよう、第１のチャネルに隣接し、第１の偏波に対して逆に偏波された第２の偏波を有する第３のチャネル周波数を復調するための第３の復調器と、  第３の復調器に更に結合され、受信された信号を生成するために、該第２及び第３のチャネルから得られる干渉を該第１の復調されたチャネル信号から打ち消す適応干渉打消し回路とを含む、上記第６項に記載のシステム。
【００６３】
８．各放送チャネルは順次のシンボルを含むよう符号化され、適応干渉打消し回路は、  第２の復調器に結合され、第２のチャネル中に復号化された順次のシンボルを表わす信号を発生する第１の復号化器と、  第１の復号化器に結合され、第２のチャネル中に復号化された順次のシンボルを表わす理想的な信号を発生する第１の符号化器と、  第３の復調器に結合され、第３のチャネル中に復号化された順次のシンボルを表わす信号を発生する第２の復号化器と、  第２の復号化器に結合され、第３のチャネル中に復号化された順次的なシンボルを表わす理想的な信号を発生する第２の符号化器と、  第１の復調器並びに第１及び第２の符号化器に結合され、第１のチャネルの中で第２及び第３のチャネルを表わす夫々の理想的な信号から干渉成分を推定し、第１のチャネルから干渉成分を打ち消す適応組合せ装置とを含む、上記第７項に記載のシステム。
【００６４】
９．上記適応組合せ装置は、  第１の復号化器に結合され、制御信号に応答する第１の適応フィルタと、  第２の復号化器に結合され、制御信号に応答する第２の適応フィルタと、  第１の復調器並びに第１及び第２の適応フィルタに結合され、制御信号を発生する加算器とを含む、上記第８項に記載のシステム。
【００６５】
１０．第１の復調器に結合され、第１のチャネル中の復号化された順次の信号
を表わす信号を発生する第２の符号化器を更に含む、上記第８項に記載のシステム。
【図１】
2010200339.tif 000003
【図２】
2010200339.tif 000004
【図３】
2010200339.tif 000005
【図４】
2010200339.tif 000006
【図５】
2010200339.tif 000007
【図６】
2010200339.tif 000008
【図７】
2010200339.tif 000009